(57)【要約】【課題】  窓写りを防止でき、煩わしさを解消し、表示品質を良好に維持することができるヘッドアップディスプレイを提供すること。【解決手段】  装置本体２は、上向きに投光するよう装置本体２内部の下部に配置した表示器４と、表示器４からの光をドライバ側へ向けて反射するよう下向きに傾斜させて、装置本体２内部の上部に配置したコンバイナ部５と、表示器４からコンバイナ部５までの光路となる内部空間２１を形成する筒形状の装置本体２の内壁と、装置本体２内部に配置したコンバイナ部５からドライバ側への光路を形成するよう下向きに傾斜させた開口面で装置本体２の内部空間２１と外部を連通したクリア部２２を備えた。【選択図】        図１
2008302847.tif 000002
【特許請求の範囲】
【請求項１】
車両のフロントウィンドウシールドと別体にコンバイナが設けられ、表示器からの表示光を前記コンバイナで反射して表示を行うヘッドアップディスプレイにおいて、
装置本体は、
上向きに投光するよう装置本体内部の下部に配置した前記表示器と、
前記表示器からの光をドライバ側へ向けて反射するよう下向きに傾斜させて、装置本体内部の上部に配置した前記コンバイナと、
前記表示器から前記コンバイナまでの光路となる内部空間を形成する筒形状部と、
前記装置本体内部に配置した前記コンバイナからドライバ側への光路を形成するよう下向きに傾斜させた開口面で前記装置本体の内部空間と外部を連通した開口部と、
を備えた、
ことを特徴とするヘッドアップディスプレイ。
【請求項２】
請求項１に記載のヘッドアップディスプレイにおいて、
前記表示器の表示面と前記コンバイナの反射面、及び前記開口部の開口面、前記内部空間の断面形状を、略矩形形状にし、
前記開口部の開口面の下辺と、前記表示器の表示面の車両前方側の前辺とを結ぶ線の延長を光路とし、前記フロントウィンドウシールドで反射した先がドライバのアイポイントから外れた位置となる配置構成にした、
ことを特徴とするヘッドアップディスプレイ。
【発明の詳細な説明】
【技術分野】
【０００１】
本発明は、フロントウィンドウシールドと別体のコンバイナを用いるヘッドアップディスプレイの技術分野に属する。
【背景技術】
【０００２】
従来では、ヘッドアップディスプレイを、ケースとシャッターと、表示器と、コンバイナと、折り返しミラーと、防塵カバーとを有する構成とし、防塵カバーの断面を透明な面と、不透明な面とを斜面とした山型形状とし、ヘッドアップディスプレイの使用時では、シャッターを開いた後、コンバイナを起立及び上昇させ、次いで、防塵カバーを上昇させ、防塵カバーを透明な面が水平でなく、斜めになるように保持し、シャッターを開いた際、外光が透明な面に入射する光路上で、シャッターを保持し、防塵カバーで反射した外光が運転者の目に入るのを防止している（例えば、特許文献１参照。）。
【特許文献１】特開２００６−６９４７３号公報（第２−１５頁、全図）
【発明の開示】
【発明が解決しようとする課題】
【０００３】
しかしながら、従来のヘッドアップディスプレイにあっては、コンバイナへ向かう光がフロントウィンドウによって反射し、窓写りとなり視界を妨げて煩わしさを生じる問題があった。
【０００４】
この点について詳しく説明する。
ヘッドアップディスプレイで、フロントウィンウドシールドと別体にコンバイナを設けるものでは、おおむね下方の装置に設けられた表示器から直接、あるいは反射を介して、表示光がコンバイナへ向かって発せられる。
この下方からの表示光がコンバイナへではなく、フロントウィンドウシールドへ向かう光路があると、つまりコンバイナから見ると光が漏れる状態があると、窓写りの状態、つまり、表示が窓に写っているのがドライバから見える状態となる。
【０００５】
この状態は、前方視界の確保の点から好ましいものではない。
また、この窓写りを防止するためにコンバイナ先端にフードを設けると、突き出たフード自体が視界に入り、煩わしさは解消されない。
さらに、また、窓写りが生じる状態では、表示光を通すためのインスト開口部または装置開口部が外光からの反射により直接視界に入り込む場合があり、表示品質を低下させることになる。
さらに、このインスト開口部または装置開口部に付着する埃やゴミ等も、表示器からの光を妨げるものであり、表示品質に影響が出るものである。
【０００６】
本発明は、上記問題点に着目してなされたもので、その目的とするところは、窓写りを防止でき、煩わしさを解消し、表示品質を良好に維持することができるヘッドアップディスプレイを提供することにある。
【課題を解決するための手段】
【０００７】
上記目的を達成するため、本発明では、車両のフロントウィンドウシールドと別体にコンバイナが設けられ、表示器からの表示光を前記コンバイナで反射して表示を行うヘッドアップディスプレイにおいて、装置本体は、上向きに投光するよう装置本体内部の下部に配置した前記表示器と、前記表示器からの光をドライバ側へ向けて反射するよう下向きに傾斜させて、装置本体内部の上部に配置した前記コンバイナと、前記表示器から前記コンバイナまでの光路となる内部空間を形成する筒形状部と、前記装置本体内部に配置した前記コンバイナからドライバ側への光路を形成するよう下向きに傾斜させた開口面で前記装置本体の内部空間と外部を連通した開口部と、を備えた、ことを特徴とする。
【発明の効果】
【０００８】
よって、本発明にあっては、窓写りを防止でき、煩わしさを解消し、表示品質を良好に維持することができる。
【発明を実施するための最良の形態】
【０００９】
以下、本発明のヘッドアップディスプレイを実現する実施の形態を、請求項１，２に係る発明に対応する実施例１に基づいて説明する。
【実施例１】
【００１０】
まず、構成を説明する。
図１は実施例１のヘッドアップディスプレイの斜視図である。図２は実施例１のヘッドアップディスプレイの断面図である。図３は実施例１のヘッドアップディスプレイの説明図である。
実施例１のヘッドアップディスプレイ１は、装置本体２、基板回路部３、表示器４、コンバイナ部５を主要な構成としている。
【００１１】
装置本体２は、図２に示すように、その内部に、矩形の表示面を有する表示器４に応じた、矩形断面の内部空間２１を形成する筒形状のものである。
そして、この内部空間２１の下端部分に表示器４を表示光が上方へ向かう配置で設け、その下方に基板回路部３を板状の表示器４と並行にして設ける。
この構成により、基板回路部３に実装する光源により表示器４の背後から光を投光させる構成にしてもよいし、表示器４が光源を備えたユニット型の場合には、表示器４を基板回路部３に実装させるようにしてもよい。
【００１２】
そして、内部空間２１の上部で、車両前方方向（図２の左側）には、コンバイナ部５を上部がドライバ側に近くなるよう傾斜させて設ける。
なお、実施例１では、装置本体２のコンバイナ部５の反射面の背面側が装置本体２の内部空間２１を形成する外壁となるようにして、コスト低減、軽量化を図っている。
さらに、図１，図２に示すように、コンバイナ部５からドライバへ向かう表示光の範囲に、アイポイントの調整分を含めた大きさで矩形の開口であるクリア部２２を、装置本体２の筒形状の上部で、ドライバ側となる位置に設ける。
これにより、表示器４からコンバイナ部５までの光路は、装置本体２により筒状に周囲を覆うことになる。
また、クリア部２２は下向きに傾斜した面となる構成である。
【００１３】
基板回路部３は、表示器の表示やバックライト等の駆動、制御に必要な回路を実装するものであり、装置本体２の内部に設けられる。
表示器４は、画像を表示し、表示光としてコンバイナ部５へ向けて発するものである。例として、バックライトを備えたLCDのユニットを基板回路部３へ実装したものを挙げておく。
【００１４】
コンバイナ部５は、表示器４からの表示光をドライバに向かって反射するものであり、例として反射ミラーを挙げておく。
この実施例１のヘッドアップディスプレイ１は、図３に示すように、インストパネル６の上部に設けられ、コンバイナ部５がフロントウィンドウシールド７のドライバ側に位置する構成である。
【００１５】
次に作用を説明する。
[虚像を表示する作用]
実施例１のヘッドアップディスプレイ１では、図３に示すように、表示器４からの表示光を装置本体２の内部に設けたコンバイナ部５で反射させ、クリア部２２を通して、ドライバへ向かって表示光を送る。よって、クリア部２２からドライバのアイポイントＡまで光路１００が形成される。これにより、図２に示すように、ヘッドアップディスプレイ１を設置したインストパネル６の位置より車両前方側、つまりドライバが運転のために見る前方の遠方視界側に虚像１０１として虚像表示を行う。
【００１６】
[窓写りを防止し、煩わしさを解消し、表示品質を良好に維持する作用]
図４はヘッドアップディスプレイにおける窓写り状態を示す説明図である。図５はヘッドアップディスプレイのコンバイナのフードで窓写りを防止した状態を示す説明図である。なお、図４、図５では説明上、実施例１と同じ符号を付して説明する。
【００１７】
例えば、図４に示すようなヘッドアップディスプレイ１を考えると、表示器４からの光がコンバイナ部５で反射せず、フロントウィンドウシールド７に漏れることで窓写り像としてドライバ視界に入る。ドライバは運転視界の妨げとなるので、煩わしく感じることになる。
【００１８】
実施例１のヘッドアップディスプレイは、装置本体２の筒形状部分により光路となる内部空間２１を形成する。この内部空間２１は、断面が矩形であり表示器４の表示面に調整代を見込んだ大きさ形状である。そのため、表示器４からの表示光が漏れて、フロントウィンドウシールド７により反射しドライバ視界に入るような光路を表示器４からコンバイナ部５までの装置本体２に形成困難にする。
【００１９】
さらに説明すると、表示面の車両前方側の辺と、クリア部２２の下辺を結ぶ線を光路として、フロントウィンドウシールド７で反射させてもドライバのアイポイントの位置から外れる構成にしている。そのため、表示器４からの表示光が漏れて、フロントウィンドウシールド７により反射しドライバ視界に入るような光路を表示器４からコンバイナ部５までの装置本体２に形成困難にすると言い換えることができる。
これにより表示器４からの表示光が漏れて、フロントウィンドウシールド７により反射しドライバ視界に入る、いわゆる窓写りを防止することができる。
【００２０】
また、図４に示すようなヘッドアップディスプレイ１を考えると、表示器４からの光をコンバイナ部５に投影するために、インストパネル６に開口部を設ける必要がある。しかし、外光により開口部全体が反射し窓写りすることで、ドライバの視界に入り表示品質を下げることになる。
【００２１】
実施例１のヘッドアップディスプレイは、装置本体２の筒形状部分により光路となる内部空間２１を形成し、アイポイントの調整分を含めた大きさで矩形のクリア部２２を、装置本体２の筒形状の上部で、ドライバ側となる位置に設けている。
さらにこのクリア部２２は、上部がドライバに近づくよう傾斜した傾斜面となるように設けられ、その周囲、上部や車両前方側は、装置本体２で覆われる形状である。
そのため、インストパネル６には開口部が存在せず、外光によりクリア部２２が窓写りする光路を形成することが困難になる。
よって、外光により開口部全体が反射し窓写りすることが防止できる。
【００２２】
また、図５のようなヘッドアップディスプレイ１を考えると、コンバイナ部５の先端にフード８を設けて、窓写りを防止することが考えられるが。しかし突き出たフード８がドライバの運転視界に煩わしさを生じさせることになる。
実施例１のヘッドアップディスプレイ１は、運転視界に突き出るような部分を設けることなく、窓写りを防止できる。
【００２３】
また、実施例１のヘッドアップディスプレイ１は、クリア部２２が下向きに傾斜している構造であるため、埃やゴミ等の付着を防ぐことができ、良好な表示品質を維持しやすくすることができる。
【００２４】
次に、効果を説明する。
【００２５】
第１実施例のヘッドアップディスプレイにあっては、下記に列挙する効果を得ることができる。
【００２６】
(1)車両のフロントウィンドウシールド７と別体にコンバイナ部５が設けられ、表示器４からの表示光をコンバイナ部５で反射して表示を行うヘッドアップディスプレイ１において、装置本体２は、上向きに投光するよう装置本体２内部の下部に配置した表示器４と、表示器４からの光をドライバ側へ向けて反射するよう下向きに傾斜させて、装置本体２内部の上部に配置したコンバイナ部５と、表示器４からコンバイナ部５までの光路となる内部空間２１を形成する筒形状の装置本体２の内壁と、装置本体２内部に配置したコンバイナ部５からドライバ側への光路を形成するよう下向きに傾斜させた開口面で装置本体２の内部空間２１と外部を連通したクリア部２２を備えたため、窓写りを防止でき、煩わしさを解消し、表示品質を良好に維持することができる。
【００２７】
(2)表示器４の表示面とコンバイナ部５の反射面、及び開口部の開口面、内部空間２１の断面形状を、略矩形形状にし、開口部の開口面の下辺と、表示器４の表示面の車両前方側の前辺とを結ぶ線の延長を光路とし、フロントウィンドウシールドで反射した先がドライバのアイポイントから外れた位置となる配置構成にしたため、表示器４からの表示光が漏れて、フロントウィンドウシールド７により反射しドライバ視界に入るような光路を表示器４からコンバイナ部５までの装置本体２に形成困難にし、窓写りを防止でき、煩わしさを解消し、表示品質を良好に維持することができる。
また、実施例１のヘッドアップディスプレイでは、コンバイナ部５が装置本体２の内部空間２１を形成する一部となるようにしている。これにより、装置本体２を樹脂成形で加工する際に、クリア部２２から貫通する形状となるとともに、表示器４側への型構成が容易な形状にできる。これによりコストを抑制して、上記説明した効果を実現するヘッドアップディスプレイにすることができる。
【００２８】
以上、本発明のヘッドアップディスプレイ１を実施例１に基づき説明してきたが、具体的な構成については、これらの実施例に限られるものではなく、特許請求の範囲の各請求項に係る発明の要旨を逸脱しない限り、設計の変更や追加等は許容される。
例えば、実施例１では、表示器の表示面、コンバイナ部、内部空間２１の断面、クリア部を矩形としたが、他の形状であってもよい。
【図面の簡単な説明】
【００２９】
【図１】実施例１のヘッドアップディスプレイの斜視図である。
【図２】実施例１のヘッドアップディスプレイの断面図である。
【図３】実施例１のヘッドアップディスプレイの説明図である。
【図４】ヘッドアップディスプレイにおける窓写り状態を示す説明図である。
【図５】ヘッドアップディスプレイのコンバイナのフードで窓写りを防止した状態を示す説明図である。
【符号の説明】
【００３０】
１  ヘッドアップディスプレイ
２  装置本体
３  基板回路部
４  表示器
５  コンバイナ部
６  インストパネル
７  フロントウィンドウシールド
８  フード
２１  内部空間
２２  クリア部
１００  光路
１０１  虚像
Ａ  アイポイント
【図１】
2008302847.tif 000003
【図２】
2008302847.tif 000004
【図３】
2008302847.tif 000005
【図４】
2008302847.tif 000006
【図５】
2008302847.tif 000007